(57)【要約】【課題】  画像観察装置において色温度の変化を生じることなく、所望の照度に調整する画像処理装置およびその方法を提供すること。【解決手段】  ユーザが指定した照度に基づいて、照度計の測色値との差を画像観察装置の照明位置を昇降することによって所望の照度に調整を行う構成とする。【選択図】  図１
2007166306.tif 000002
【特許請求の範囲】
【請求項１】
画像観察時の観察装置における照度をユーザがUI上で指定した照度に自動設定する画像処理装置であって、画像観察装置の画像観察位置における照度を照度計により測定する照度測定照度測定手段と、前記照度測定手段で測定した照度から観察装置の照明位置を昇降するための昇降量を算出する照明位置算出手段と、前記照明位置算出手段によって算出された照明位置の昇降量から、照明を指定した位置に昇降装置を使用して移動する照明位置補正手段と、照度をユーザがUI上で指定するUI手段とを有することを特徴とする画像処理装置。
【請求項２】
画像観察時の観察装置における照度をユーザがUI上で指定した照度に自動設定する画像処理方法であって、画像観察装置の画像観察位置における照度を照度計により測定する照度測定照度測定工程と、前記照度測定工程で測定した照度から観察装置の照明位置を昇降するための昇降量を算出する照明位置算出工程と、前記照明位置算出工程によって算出された照明位置の昇降量から、照明を指定した位置に昇降装置を使用して移動する照明位置補正工程と、照度をユーザがUI上で指定するUI工程とを有することを特徴とする画像処理方法。
【請求項３】
請求項２に記載の画像処理方法をコンピュータにより実現するためのプログラム。
【請求項４】
請求項３に記載のプログラムを記録した、コンピュータにより読取り可能な記録媒体。
【発明の詳細な説明】
【技術分野】
【０００１】
本発明は、画像観察時に測定器を使用して所望の観察環境に調整する画像処理装置およびその方法に属する。
【背景技術】
【０００２】
近年の画像処理技術の発展に伴い、カラープリンタやデジタルカメラ等の画像処理デバイスにおいては、カラー化はもちろん高画質化が著しく、さらに低価格化によってその普及も目覚しい。従ってデジタル処理された高品質のカラー画像が至る所で見かけられるようになった。さらに、カラーＤＴＰやインターネット技術の普及に伴い、より正確な色再現が求められるようになり、画像処理デバイスにおいては、色を定量的に取り扱うための測光／測色処理が不可欠となっている。このため従来は、側面と前面の三方向がグレーの壁で覆われたボックス内に、安定性の高い光源ランプを使用して再現性の高い画像観察を行える観察ブースを使用して、高精彩画像の主観評価を行ってきた。
【特許文献１】特開２００４−３１７１３２号公報
【発明の開示】
【発明が解決しようとする課題】
【０００３】
上述したように、従来の画像観察装置においては、安定性の高い光源ランプを使用して、精度の高い画像観察を実現している。しかしながら、一般に画像観察装置においては、観察照度を数種類設定することがあるが、光源の照度を電気的に調整すると、電流値の変化によって色温度が変化してしまうということがある。また、物理的に照明部に開口装置を挿入し、開口装置を開閉して照度を変化させる方法（特許文献１）もあるが、照明を物理的にふさいでいるために、照度ムラが生じたり、微調整が困難である。本発明は、この点に鑑みてなされたものであり、画像観察装置において色温度の変化を生じることなく、所望の照度に調整する画像処理装置およびその方法を提供することを目的とする。
【課題を解決するための手段】
【０００４】
画像観察時の観察装置における照度をユーザがUI上で指定した照度に自動設定する画像処理装置であって、画像観察装置の画像観察位置における照度を照度計により測定する照度測定照度測定手段と、前記照度測定手段で測定した照度から観察装置の照明位置を昇降するための昇降量を算出する照明位置算出手段と、前記照明位置算出手段によって算出された照明位置の昇降量から、照明を指定した位置に昇降装置を使用して移動する照明位置補正手段と、所望の照度をユーザがUI上で指定するUI手段とを有することを特徴とする。
【０００５】
また、請求項２に記載の画像処理方法は、画像観察時の観察装置における照度をユーザがUI上で指定した照度に自動設定する画像処理方法であって、画像観察装置の画像観察位置における照度を照度計により測定する照度測定照度測定工程と、前記照度測定工程で測定した照度から観察装置の照明位置を昇降するための昇降量を算出する照明位置算出工程と、前記照明位置算出工程によって算出された照明位置の昇降量から、照明を指定した位置に昇降装置を使用して移動する照明位置補正工程と、所望の照度をユーザがUI上で指定するUI工程とを有することを特徴とする。
【０００６】
例えば、コンピュータで実行されることにより、該コンピュータを請求項２に記載の画像処理方法として動作させることを特徴とする。
【発明の効果】
【０００７】
以上説明したように本実施形態によれば、ユーザが指定した照度に基づいて、照度計の測色値との差を画像観察装置の照明位置を昇降することによって所望の照度に調整を行う。この結果、所望の照度を簡易に得ることが可能となり、高精度な目視による画像観察を好適に実現することが可能となる。
【発明を実施するための最良の形態】
【０００８】
次に、本発明の詳細を実施例の記述に従って説明する。
【０００９】
（第一の実施形態）
以下本実施形態について、図面を参照して詳細に説明する。
【００１０】
図１は、本実施形態の画像処理装置の一例を示す図であり、本装置は、照度測定部１０、照明位置算出部１１、照明位置補正部１２、UI部１３で構成される。また、図２は図１のブロック図で表される画像処理装置の処理手順を示すフローチャートである。また、図3は本実施形態における照度調整を有する画像観察装置の一例を表す図であり、照明部３００、蛍光ランプ３０１、照度ムラ低減スリット３０２、画像観察装置昇降装置３０３、照度計３０４、照度/位置調整装置３０５からなる。以下図１の画像評価装置の動作を図２のフローチャートに従って説明する。まず、画像観察装置の電源を投入して照明を点灯する（S２００）。次に、ユーザがUI上で所望の照度を指定する（S２０１）。次に、照度測定部１０は照度計３０４で照度の測定を行う（S２０２）。次に、照明位置算出部１１では、S２１でユーザがUI上で指定した照度とS２０２で測定された照度との差分を算出し、予め測定されている、画像観察装置の照明の昇降と照度変化のテーブルから、照明の位置補正量を算出する（S２０３）。次に、照明位置補正部１２は、S２０３で算出されて照明補正量情報から、照明位置を補正すべき位置に昇降して移動する（S２０４）。次に、照明位置補正部１２は照度計３０４で補正後の照度を測定する（S２０５）。次に、照明位置補正部１２は、S２０１でユーザがUIで指定した所望の照度と、S２０５で測定した照度が一致しているか否かを判定し、所望の照度を満たしていなければ、S２０１に戻る。ここで、もし所望の照度を満足していれば、照明位置の補正を終了する（S２０６）。
【００１１】
次に、前記ＵＩ部１３でユーザが行なう照明情報の設定について詳細に述べる。図４は本実施形態においてユーザが所望の照度を入力するためのＵＩ部１３におけるＵＩ例を示す図であり、照度を指定するためのラジオボタン４０と、照度を入力するためのテキストボックス４１と、照明位置の補正を開始するための補正開始ボタン４２およびキャンセルボタン４３とからなる。以下図４のＵＩの指定方法を図５のフローチャートにしたがって説明する。まず、表示装置上で照度調整のＵＩを選択する（Ｓ５００）。次に、照度を指定するためのラジオボックス４０を選択する（S５０１）。次に、照明位置の補正を開始するか否かを判定し、開始しなければS５０１に戻る。ここで、もし補正を開始すれば、ステップS５０２に進む。S５０２では、UIで指定された照度になるように、照明位置補正部に情報を送信して終了する（S５０３）。
【図面の簡単な説明】
【００１２】
【図１】本実施形態の画像処理装置の構成を示すブロック図である。
【図２】本実施形態の画像処理装置の処理手順を示すフローチャートである。
【図３】本実施形態における画像観察装置および照明位置補正装置の例を示す図である。
【図４】本実施形態における照度情報データ取得ＵＩ例の処理手順を示すフローチャートである。
【図５】本実施形態における照度情報データ取得ＵＩ例の処理手順を示すフローチャートである。
【図１】
2007166306.tif 000003
【図２】
2007166306.tif 000004
【図３】
2007166306.tif 000005
【図４】
2007166306.tif 000006
【図５】
2007166306.tif 000007